(57)【要約】【課題】異なる種類の携帯型電子機器についての装着作業を簡便に行う。【解決手段】少なくともオーディオデータを担持可能な携帯型電子機器２の情報信号の処理を行う信号処理回路を備える本体３と、信号処理回路に接続されるとともに、携帯型電子機器２が接続される複数の接続コネクタ５を備え、複数の接続コネクタ５の一つを本体３外へ臨ませるとともに他の接続コネクタ５を本体３内に収容する接続トレイ４とを備え、接続トレイ４は、携帯型電子機器２の種別に応じて、複数の接続コネクタ５のうちいずれか一の接続コネクタ５を本体３外へ臨まされ、携帯型電子機器２と接続可能とされる。【選択図】図１
2009010525.tif 000002
【特許請求の範囲】
【請求項１】
少なくともオーディオデータを担持可能な携帯型電子機器の情報信号の処理を行う信号処理回路を備える本体と、
上記信号処理回路に接続されるとともに、上記携帯型電子機器が接続される複数の接続コネクタを備え、上記複数の接続コネクタの一つを上記本体外へ臨ませるとともに他の接続コネクタを上記本体内に収容する接続トレイとを備え、
上記接続トレイは、上記携帯型電子機器の種別に応じて、上記複数の接続コネクタのうちいずれか一の接続コネクタを上記本体外へ臨まされ、上記携帯型電子機器と接続可能とされるオーディオ処理装置。
【請求項２】
上記接続トレイは、上記本体に移動自在に取り付けられることにより、上記いずれか一の接続コネクタを上記本体外へ臨ませることを特徴とする請求項１記載のオーディオ処理装置。
【請求項３】
上記接続トレイは、略円盤状に形成され、上記接続コネクタが周回方向に略等間隔で配設され、上記本体に回転自在に取り付けられていることを特徴とする請求項２記載のオーディオ処理装置。
【請求項４】
上記接続トレイは、回転角度を１２０°〜１８０°に規制されていることを特徴とする請求項３記載のオーディオ処理装置。
【請求項５】
上記本体は、上記接続トレイの回転による上記接続コネクタの移動軌跡上に、該接続コネクタが進退する開口部が形成されていることを特徴とする請求項３記載のオーディオ処理装置。
【請求項６】
上記接続トレイには、上記開口部と略同形に形成された遮蔽板が上記接続コネクタ間に設けられ、上記一の接続コネクタが上記本体外へ臨まされると、上記本体に開口された上記開口部を遮蔽することを特徴とする請求項５記載のオーディオ処理装置。
【請求項７】
上記接続トレイは、上記接続コネクタが設置される複数の設置領域と、上記接続コネクタが設置されない少なくとも一つの非設置領域とを有し、上記設置領域と非設置領域のいずれも上記本体外へ臨ませることができる請求項１記載のオーディオ処理装置。
【請求項８】
上記接続トレイは、上記非設置領域が上記装置本体外へ臨まされることにより、上記本体側面と略面一とされることを特徴とする請求項７記載のオーディオ処理装置。
【請求項９】
上記接続トレイは、移動位置を検出するセンサーが設けられていることを特徴とする請求項２記載のオーディオ処理装置。
【請求項１０】
上記センサーの検出情報に基づき、上記接続トレイに設けられた複数の接続コネクタのうちいずれが上記携帯型電子機器と接続可能とされているかを判別することを特徴とする請求項９記載のオーディオ処理装置。
【請求項１１】
上記判別結果に応じて、上記携帯型電子機器の情報信号の処理方法、充電電圧や容量を切り替えることを特徴とする請求項１０記載のオーディオ処理装置。
【請求項１２】
表示部を備え、上記判別結果に応じて、上記接続コネクタに接続可能な上記携帯型電子機器の種別が上記表示部に表示されることを特徴とする請求項１０記載のオーディオ処理装置。
【請求項１３】
上記接続コネクタの近傍には、当該接続コネクタに接続可能な上記携帯型電子機器の種別が記載されていることを特徴とする請求項２記載のオーディオ処理装置。
【請求項１４】
上記携帯型電子機器が上記接続コネクタに接続されると、上記接続トレイの移動を規制する規制部材が設けられていることを特徴とする請求項２記載のオーディオ処理装置。
【請求項１５】
上記規制部材による上記接続トレイの移動規制動作に連動して、上記携帯型電子機器が上記接続コネクタに接続されたことを判別することを特徴とする請求項１４記載のオーディオ処理装置。
【請求項１６】
上記複数の接続コネクタは一の基板上に実装されていることを特徴とする請求項１記載のオーディオ処理装置。
【発明の詳細な説明】
【技術分野】
【０００１】
本発明は、携帯型オーディオプレーヤ等の携帯型電子機器が接続されることにより、当該携帯型電子機器が担持する情報信号を再生するオーディオ処理装置に関する。
【背景技術】
【０００２】
従来より、小型ハードディスクやフラッシュメモリを内蔵し、楽曲データ等の記録再生が可能な携帯型オーディオが広く普及してきており、これに伴い、携帯型オーディオを載せるだけで楽曲データ等を処理し、内蔵されているスピーカーや接続されたスピーカーから出力する携帯型オーディオ専用のクレードルオーディオ処理装置が提供されている。
【０００３】
かかるクレードルオーディオ処理装置は、所定のファイル形式で記録されている楽曲データ信号を処理する信号処理回路と、所定の載置部に設けられた接続コネクタと、オーディオアンプと、スピーカーを備え、携帯型オーディオが載置部に載せられることにより接続コネクタと接続され、携帯型オーディオに記録されている楽曲データを処理して、スピーカーから出力することができる。
【０００４】
ところで、近年、携帯型オーディオは、国内外におよぶ複数のメーカーから提供され、オーディオ本体に設けられているコネクタの形状や、楽曲データのファイルも各社ごとに異なる形式が採用されている。このため、クレードルオーディオ処理装置も、一の携帯型オーディオ専用の拡張周辺機器として提供され、異なる種類の携帯型オーディオに用いることができなかった。したがって、かかるクレードルオーディオ処理装置を購入しても、他の携帯型オーディオに買い換えたいユーザや、複数種類の携帯型オーディオを所持するユーザにとっては、規格の合わない携帯型オーディオを接続することができないという不都合があった。
【０００５】
このようなユーザの要望に対応するために、クレードルオーディオ処理装置のなかには、接続コネクタのうち、携帯型オーディオの外形に対応すべく載置部を可動として異なる機種も接続可能としたものや、複数の携帯型オーディオの外形に対応した中間アダプタを種類に応じて複数用意し、所望の携帯型オーディオに対応する中間アダプタに交換することで接続可能としたものもある。また、接続コネクタ自体の形状を変換するアダプタを複数用意することで、あらゆる携帯型オーディオのコネクタ形状にも対応可能としたクレードルオーディオ処理装置も提案されている。
【０００６】
しかし、接続コネクタが形成された載置部の外形を可変としたクレードルオーディオ処理装置では、対応できる携帯型オーディオの数に限りがある。また、中間アダプタを複数用意するタイプのクレードルオーディオ処理装置では、所望の携帯型オーディオに対応した中間アダプタを選択し変換する作業を要し、携帯型オーディオの装着が煩雑となる。さらに、長期に亘って同一の携帯型オーディオ及び同一の中間アダプタを用いる場合、その他の中間アダプタの紛失や、損傷、汚損等のおそれもあり、他機種への買い換えや他のユーザが所有する他機種を装着する際に、接続することができなくなる等の問題が発生するおそれもある。さらに、使用されることのない複数の中間アダプタも付属されることから、省資源や廃棄物削減といった環境負荷の観点や、ユーザのコスト負担といった観点からも望ましくない。
【０００７】
【特許文献１】特開２００７−９６８８３号公報
【発明の開示】
【発明が解決しようとする課題】
【０００８】
そこで、本発明は、異なる種類の携帯型電子機器についても装着作業を簡便に行うことができ、また中間アダプタを用いることによる紛失や破損等の問題を回避することができるオーディオ処理装置を提供することを目的とする。
【課題を解決するための手段】
【０００９】
上述した課題を解決するために、本発明に係るオーディオ処理装置は、少なくともオーディオデータを担持可能な携帯型電子機器の情報信号の処理を行う信号処理回路を備える本体と、上記信号処理回路に接続されるとともに、上記携帯型電子機器が接続される複数の接続コネクタを備え、上記複数の接続コネクタの一つを上記本体外へ臨ませるとともに他の接続コネクタを上記本体内に収容する接続トレイとを備え、上記接続トレイは、上記携帯型電子機器の種別に応じて、上記複数の接続コネクタのうちいずれか一の接続コネクタを上記本体外へ臨まされ、上記携帯型電子機器と接続可能とされる。
【発明の効果】
【００１０】
本発明に係るオーディオ処理装置によれば、接続する携帯型電子機器に形成されたコネクタに対応する接続コネクタを選択し、本体の外方へ臨ませるのみで、該携帯型電子機器との接続を図ることができるため、中間アダプタを用いることなく、複数の携帯型電子機器を簡便に接続することができる。また、本オーディオ処理装置によれば、選択されなかった接続コネクタは本体の外方へ臨まされることがないため、未使用時における破損や汚損を防止することができる。さらに、本オーディオ処理装置によれば、未使用アダプタの紛失を防止することができる。
【発明を実施するための最良の形態】
【００１１】
以下、本発明が適用されたオーディオ処理装置について、図面を参照しながら詳細に説明する。このオーディオ処理装置１は、小型ハードディスクやフラッシュメモリを内蔵して楽曲データや映像データ等の各種データの記録再生が可能な携帯型オーディオ２の周辺機器として用いられるクレードルオーディオ処理装置であり、携帯型オーディオ２が載置されることにより、該携帯型オーディオ２に記録されている楽曲を出力するものである。
【００１２】
かかるオーディオ処理装置１は、図１に示すように、略矩形上に形成された装置本体３を有し、該装置本体３には、携帯型オーディオ２が載置される接続トレイ４と、当該接続トレイ４に設けられた複数の接続コネクタ５と、接続コネクタ５を介して接続された携帯型オーディオ２に記録された楽曲データを出力するスピーカーユニット６が設けられている。また、図２に示すように、装置本体３には、接続コネクタ５を介して接続された携帯型オーディオ２から出力された音声信号を選択的に出力する信号セレクタ８と、信号セレクタ８から出力された音声信号を増幅してスピーカーユニット６へ出力するオーディオアンプ９と、これら信号セレクタ８やオーディオアンプ９を制御するＣＰＵ１０が内蔵されている。
【００１３】
スピーカーユニット６は、ステレオＲスピーカー６ａと、ステレオＬスピーカー６ｂと、サブウーハースピーカー６ｃとを備えるが、かかるスピーカー構成は例示であり、さらにサラウンドスピーカーやセンタースピーカー等を備える構成とすることもできる。
【００１４】
また、装置本体３は、操作ボタンや操作ダイヤル等を備えたキー入力部１１が形成されるとともに、赤外線リモコン１２からの操作信号を受光する受光部１３が形成され、これらキー入力部１１を直接操作し、また赤外線リモコン１２を用いて離れた場所から、主電源のＯＮ／ＯＦＦ、ファンクション切り替え、楽曲セレクト、音量調整等の各種操作を行うことができるようになっている。さらに、装置本体３は、上面３ｂに、再生中の楽曲データや装置本体３の操作情報等を表示する表示部１４が形成されている。また、装置本体３は、信号セレクタ８に外部音声入力部１５が接続され、スピーカーユニット６を介して外部音源を出力することができる。
【００１５】
装置本体３は、前面３ａの略中央部が背面側に向かって円弧状に凹んでおり、携帯型オーディオ２が装着される装着部１６が形成されている。装着部１６には、下部に前面３ａの幅方向に亘って開口部１７が形成され、開口部１７より携帯型オーディオ２が載置される接続トレイ４の一部が外方に臨まされている。また装着部１６は、上下方向の略中央部に携帯型オーディオ２の背面を支持する支持片１８が突設されている。
【００１６】
次いで、携帯型オーディオ２が載置される接続トレイ４について説明する。接続トレイ４は、コネクタ形状の異なる複数の携帯型オーディオ２に対応した複数の接続コネクタ５が配設され、これら複数の接続コネクタ５を装置本体３の内外に亘って搬送することにより、携帯型オーディオ２の種別に応じた接続コネクタ５を簡易に選択可能とするものである。
【００１７】
接続トレイ４は、図３に示すように、円盤状に形成され、その主面４ａには周回方向に亘って略等間隔に複数の接続コネクタ５が形成されている。各接続コネクタ５は、それぞれ異なる種類の携帯型オーディオ２の底面に形成されているコネクタ部が接続可能とされている。すなわち、接続トレイ４は、例えば３種類の接続コネクタ５が形成されることにより、３種類の携帯型オーディオ２を接続することができる。
【００１８】
各接続コネクタ５は、いずれも同心円状に配設されている。また、装置本体３は、装着部１６に設けられた開口部１７に、接続トレイ４の回転に伴い各接続コネクタ５が進退する切り欠き部１７ａが形成されている。さらにまた、各接続コネクタ５は、接続トレイ４の中心方向に向かってやや傾斜して立設されている。したがって各接続コネクタ５に接続された携帯型オーディオ２は、内周側、すなわち装置本体３の前面３ａ側に傾斜し、支持片１８に支持される。
【００１９】
また接続トレイ４は、主面４ａに遮蔽板２０が立設されることにより周回り方向に亘って略均等に分割され、当該分割領域に各一つずつ接続コネクタ５が設けられている。各遮蔽板２０は、長手方向を接続トレイ４の中心方向に向けて立設され、かつ同心円状に形成されている。そして、各遮蔽板２０は、一の分割領域が装着部１６の外方に臨まされることにより、開口部１７に形成された切り欠き部１７ａを閉塞する。これにより、オーディオ処理装置１は、一の接続コネクタ５を装着部１６に臨ませているときに、切り欠き部１７ａが閉塞されることから、装置本体３内に塵埃等が進入することがなく、また外観デザインを損なうこともない。
【００２０】
かかる接続トレイ４は、図４に示すように、中心部に回転中心となる軸受け孔２１が形成され、装置本体３の底面３ｃから立設されている支軸２５に挿通されている。支軸２５は、軸受け孔２１の上方に突出した上端部に接続トレイ４の抜け止めを図る係止環２６が設けられている。これにより接続トレイ４は、支軸２５によって、装着部１６内を回転自在に支持され、開口部１７より、一の分割領域のみを外方に臨ませる。そして、接続トレイ４は、軸受け孔２１を中心に回転されることにより、複数の分割領域が順次外方に臨まされ、これにより複数の接続コネクタ５を順次、開口部１７より外方に臨ませて、選択することができる。
【００２１】
また接続トレイ４は、一の接続コネクタ５を外方に臨ませている間は、他の接続コネクタ５を装置本体３内に収納しているため、接続コネクタ５の未使用持における破損や汚損、紛失等を防止することができる。
【００２２】
接続トレイ４は、図４に示すように、内側に円盤状のプリント基板２７が配設され、このプリント基板２７上に複数の接続コネクタ５が実装されている。また接続トレイ４は、主面４ａに、プリント基板２７上に実装された接続コネクタ５を主面４ａ上に臨ませるコネクタ用開口部２８が形成されている。プリント基板２７は、装置本体３内に配設され信号セレクタ８が設けられたプリント基板と、図示しないフレキシブル配線基板や信号ケーブル等を介して接続されている。これにより、接続コネクタ５に接続された携帯型オーディオ２が装置本体３の信号セレクタ８及びオーディオアンプ９と接続され、音声信号が、スピーカーユニット６より出力される。
【００２３】
また接続トレイ４は、装置本体３の底面３ｃより立設された規制片２９によって、回転領域が、一の接続コネクタ５が装着部１６に臨まされている位置を中心として、±１２０°の範囲内に規制されている。回転領域を±１２０°の範囲とすることにより、接続コネクタ５が設置され均等に３分割された分割領域の全てを順次、開口部１７より外方に臨ませることができ、全ての接続コネクタ５を選択することができる。また、接続トレイ４上に接続コネクタ５を周回り方向に沿って２つあるいは４つ以上を均等間隔で配置した場合は、接続トレイ４の回転領域を、一の接続コネクタ５が装着部１６に臨まされている位置を中心として、±１８０°の範囲に設定することで、全ての接続コネクタ５を開口部１７より外方に臨ませて選択することができる。
【００２４】
なお、規制片２９による接続トレイ４の回転規制は、接続トレイ４の内側面に設けた図示しないリブの回動軌跡上に規制片２９を突設させることにより行う。このように、接続トレイ４の回転範囲を規制することにより、接続トレイ４とともに回転されるプリント基板２７に接続されているフレキシブル配線基板や信号ケーブル等が回転に伴って捩れたり、また捩じ切れる事態を防止することができる。なお、接続トレイ４の回転範囲の規制手段は、規制片２９を用いる方法以外にも公知の回転規制手段を採用することができる。
【００２５】
かかる接続トレイ４の回転位置は、センサー３０を通じて装置本体３のＣＰＵ１０によってモニタされている。センサー３０は、例えば図５に示すように、ロータリエンコーダ３１が用いられる。ロータリエンコーダ３１は、接続トレイ４の外周に形成されたラック部３２と咬合するギヤ３３と同軸に結合され、接続トレイ４とともに回転するギヤ３３によって回転駆動される。これによりロータリエンコーダ３１は、接続トレイ４の回転量に応じて回転され、この回転に合ったパルス信号或いはパターン信号が出力されてＣＰＵ１０に送られる。ＣＰＵ１０は、この信号により接続トレイ４の回転位置を検出し、いずれの接続コネクタ５が装着部１６に臨まされているのかを判別することができる。
【００２６】
ＣＰＵ１０は、かかる判別結果に応じて、装着部１６に臨まされている接続コネクタ５に接続される携帯型オーディオ２の種別に応じた信号処理を行うように信号セレクタ８の切り替えを行う。また、ＣＰＵ１０は、かかる判別結果に応じて、接続コネクタ５に接続される携帯型オーディオ２に適した充電電圧や容量に設定を切り替えることができる（図１２参照）。また、ＣＰＵ１０は、かかる判別結果に応じて、装置本体３の表示部１４に、選択された接続コネクタ５に対応する携帯型オーディオ２の種別を表示させ、ユーザによる接続コネクタ５の選択の便宜に供するとともに、選択された接続コネクタ５に対応していない携帯型オーディオ２の誤装着を防止することができる。
【００２７】
またセンサー３０は、図６に示すように、フォトインターラプター等の光センサを用いることもできる。装置本体３の底面３ｃには、接続トレイ４の下方に、一対のフォトインターラプター３４，３５が並んで配設されている。また接続トレイ４は、内部にフォトインターラプター３４，３５に対応して、一対の遮光板３６，３７が垂下されている。遮光板３６，３７は、それぞれ接続トレイ４の周回り方向に沿って同心円状に連続して形成されている。外周側に設けられた遮光板３６は、光を透過する透過領域が１８０°の範囲に設けられ、光を遮蔽する遮光領域が１８０°の範囲に設けられている。内周側に設けられた遮光板３７は、透過領域と遮光領域とが９０°毎に交互に形成されている。
【００２８】
これにより、フォトインターラプター３４，３５は、図７に示すように、接続トレイ４の位置に応じて４通りの組み合わせで出力し、ＣＰＵ１０に送る。ＣＰＵ１０は、両インターラプター３４，３５からの出力を解析することにより、接続トレイ４の回転位置を検出し、いずれの接続コネクタ５が装着部１６に臨まされているのか判別することができる。なお、以上は、接続トレイ４の主面４ａ上を４分割した場合にいずれの領域が装着部１６に臨まされているかを検出するものであるが、オーディオ処理装置１は、フォトインターラプター及び遮光板の数や透過領域及び遮光領域の設定範囲を変更することで、フォトインターラプターの出力組み合わせの数を増減させ、接続トレイ４の接続コネクタ５が設置された分割領域を増減させることもできる。
【００２９】
また接続トレイ４は、外周面にローレット部３８が形成されている。ローレット部３８は、装着部１６の開口部１７より外方に臨まされ、ユーザによって回転操作が可能とされている。これにより、接続トレイ４は、ユーザによる回転操作が容易とされ、接続コネクタ５の選択を容易に行うことができるとともに、操作感も向上されている。
【００３０】
また、接続トレイ４は、各接続コネクタ５の近傍に、当該接続コネクタ５に対応する携帯型オーディオ２の種別を表示してもよい。これにより、接続トレイ４は、接続コネクタ５を装着部１６より外方に臨ませる際に、当該種別表示も外方へ臨まされ、ユーザにより視認可能とされる。したがって、接続トレイ４は、ユーザによっていずれの接続コネクタ５が選択されたかを容易に判別させることができ、ユーザによる接続コネクタ５の選択の便宜に供するとともに、選択された接続コネクタ５に対応していない携帯型オーディオ２の誤装着を防止することができる。
【００３１】
また、オーディオ処理装置１は、接続コネクタ５に携帯型オーディオ２が接続されることにより接続トレイ４の回転を規制するロック機構４０を設けることができる。図８及び図９に示すように、ロック機構４０は、接続トレイ４の主面４ａに挿通されたロックピン４１と、接続トレイ４の底面４ｂに形成されロックピン４１を支持する支持孔４２と、装置本体３の底面３ｃに形成され、ロックピンが係止する係止孔４３と、ロックピン４１を装置本体３の底面３ｃと離間する方向に付勢する付勢バネ４４とを備える。
【００３２】
ロックピン４１は、円柱状に形成され、長手方向の中間にフランジ部４５が形成されている。フランジ部４５には、一端が支持孔４２の周辺に当接されている付勢バネ４４の他端が係止されている。これによりロックピン４１は、付勢バネ４４の付勢力によって常時上方に付勢され、上端部４１ａが接続トレイ４の主面４ａ上に臨まされるとともに、フランジ部４５によって接続トレイ４内からの抜け止めが図られている。
【００３３】
接続トレイ４の主面４ａには、ロックピン４１の上端部４１ａを主面４ａ上に臨ませるロックピン用開口部４６が開口されている。付勢バネ４４に付勢されたロックピン４１は、上端部４１ａがこのロックピン用開口部４６を介して接続コネクタ５の内周側に突出される。したがって、図９に示すように、ロックピン４１は、携帯型オーディオ２が接続コネクタ５に接続されることにより、上端部４１ａが携帯型オーディオ２の底面に押下され、付勢バネ４４の付勢力に対抗しながら接続トレイ４の底面４ｂ側に移動される。
【００３４】
装置本体３の底面３ｃに設けられている係止孔４３は、ロックピン４１が携帯型オーディオ２によって下方に押下されることにより、該ロックピン４１の下端部４１ｂが挿通し、水平方向の移動が規制される。このとき、ロックピン４１は、接続トレイ４の底面４ｂに形成された支持孔４２を挿通して、係止孔４３に係止されていることから、接続トレイ４の回転を規制することができる。したがって、オーディオ処理装置１は、携帯型オーディオ２が接続された接続トレイ４の揺動を防止し、携帯型オーディオ２による安定した再生を行うことができる。
【００３５】
また、ロックピン４１は、携帯型オーディオ２が接続コネクタ５より取り外され上端部４１ａ上から除去されると、付勢バネ４４の付勢力によって接続トレイ４の上方に移動され、下端部４１ｂが係止孔４３より引き抜かれるため、水平方向への移動が可能となり、これにより接続トレイ４の回転が可能となる。また、ロックピン４１は、付勢バネ４４の付勢力によって上端部４１ａが再度主面４ａ上に突出され、携帯型オーディオ２によって押下可能な状態となる。
【００３６】
かかるロック機構４０は、接続トレイ４内に配設されているプリント基板２７上に、携帯型オーディオ２が接続コネクタ５に接続されてロックピン４１が下方に移動されたとき、フランジ部４５によって押下される接続検出スイッチ４７が実装されている。接続検出スイッチ４７は、フランジ部４５の移動軌跡上に設けられ、ロックピン４１が携帯型オーディオ２に押下されるとフランジ部４５によって押下され、ロックピン４１が付勢バネ４４によって上昇されるとフランジ部４５による押下が解除される。
【００３７】
また、接続検出スイッチ４７は、スイッチの押下状態がＣＰＵ１０によってモニタされている。したがって、オーディオ処理装置１は、携帯型オーディオ２が接続コネクタ５に接続されることによりロックピン４１が押下され、接続検出スイッチ４７がフランジ部４５によって押下されると、ＣＰＵ１０によって押下状態を検出して、携帯型オーディオ２が接続コネクタ５に接続されたことを判別することができる。
【００３８】
次いで、接続トレイの主面を複数に分割するとともに、上記接続コネクタ５が設けられた複数の設置領域と、上記接続コネクタ５を設けない少なくとも１つの非設置領域を有するオーディオ処理装置１について説明する。なお、以下の説明において、上述したオーディオ処理装置１に用いられる構成と同一の構成については、同一の符号を付してその詳細を省略する。
【００３９】
このオーディオ処理装置１に用いられる接続トレイ５０は、図１０及び図１１に示すように、主面５０ａを例えば４分割し、接続コネクタ５が設置された３つの設置領域５１と、接続コネクタ５が設置されていない少なくとも１つの非設置領域５２とを有する。
【００４０】
かかる接続トレイ５０を備えるとともに、携帯型オーディオ２の充電を行う充電用電源５５及び電圧や容量を切り替える充電セレクタ５６を備えたオーディオ処理装置１のブロック図を図１２に示す。なお充電用電源５５及び充電セレクタ５６は、上記図２に示す構成のオーディオ処理装置１に採用することができるのは勿論である。
【００４１】
各設置領域５１と非設置領域５２とは、主面５０ａ上に周回り方向に沿って均等に形成され、各設置領域５１上に設けられる接続コネクタ５も同心円状に均等配置されている。また、各設置領域５１と非設置領域５２との間には、上述した遮蔽板２０が立設され、一の設置領域５１あるいは非設置領域５２を外方に臨ませたとき、装着部１６の開口部１７に開口された切り欠き部１７ａを閉塞可能とされている。
【００４２】
また、接続トレイ５０は、非設置領域５２の外周部に直線状の平面部５３が形成され、全体を略弓形に形成されている。かかる接続トレイ５０は、オーディオ処理装置１に携帯型オーディオ２を接続させないときに、非設置領域５２が装着部１６より外方に臨まされる。このとき、接続トレイ５０は、非設置領域５２が外方に臨まされるとともに設置領域５１が装置本体３内に収納されることにより、使用していない接続コネクタ５を塵埃や破損などから保護することができる。
【００４３】
また、接続トレイ５０は、非設置領域５２が外方に臨まされることにより、外周部に形成された平面部５３が、装置本体３の前面３ａと略面一となる。これによりオーディオ処理装置１は、非設置領域５２が装着部１６に臨まされた未使用状態において、装置本体３のデザイン性を向上させることができ、また、一見して接続コネクタ５が外方に臨まされていない未使用状態であることを判別することができる。
【００４４】
なお、オーディオ処理装置１は、上述したセンサー３０を接続トレイ５０に設けることにより、非設置領域５２が外方に臨まされたことを検出すると、自動的に装置本体３の電源を切り、設置領域５１が外方に臨まされたことを検出すると、自動的に装置本体３の電源を入れるように設定することで、ユーザによる使用感を向上させることもできる。
【００４５】
また、オーディオ処理装置１は、接続トレイ５０を複数の領域に分割するとともに、接続コネクタ５の設置領域５１と非設置領域５２とを交互に配設してもよい。例えば、接続トレイ５０は、２つの設置領域５１と２つの非設置領域５２とに分割され、設置領域５１と非設置領域５２とが互いに隣接しあうように形成する。これにより、接続トレイ５０は、開口部１７に設置領域５１と非設置領域５２とが交互に臨まされる。
【図面の簡単な説明】
【００４６】
【図１】本発明が適用されたオーディオ処理装置を示す斜視図である。
【図２】オーディオ処理装置の機能ブロック図である。
【図３】接続トレイを示す斜視図である。
【図４】接続トレイの断面図である。
【図５】接続トレイの回転位置を検出するセンサーを示す斜視図である。
【図６】センサーとしてフォトインターラプターを用いた接続トレイを示す断面図である。
【図７】フォトインターラプターが接続トレイの位置に応じた出力の組み合わせを示す図である。
【図８】ロック機構を示す断面図である。
【図９】ロック機構による接続トレイの回転が規制されている状態を示す断面図である。
【図１０】接続トレイに非設置領域を設けたオーディオ処理装置を示す斜視図である。
【図１１】非設置領域を設けた接続トレイを示す斜視図である。
【図１２】オーディオ処理装置の機能ブロック図である。
【符号の説明】
【００４７】
１  オーディオ処理装置、２  携帯型オーディオ、３  装置本体、４  接続トレイ、５  接続コネクタ、６  スピーカーユニット、８  信号セレクタ、９  オーディオアンプ、１０  ＣＰＵ、１４  表示部、１６  装着部、１７  開口部、１７ａ  切り欠き部、１８  支持片、２０  遮蔽板、２７  プリント基板、３０  センサー、３１  ロータリエンコーダ、３２  ラック部、３３  ギヤ、３４，３５  フォトインターラプター、３６，３７  遮光板、４０  ロック機構、４１  ロックピン、４２  支持孔、４３  係止孔、４４  付勢バネ、４５  フランジ部、４７  接続検出スイッチ、５０  設置領域、５１  非設置領域、５２  平面部
【図１】
2009010525.tif 000003
【図２】
2009010525.tif 000004
【図３】
2009010525.tif 000005
【図４】
2009010525.tif 000006
【図５】
2009010525.tif 000007
【図６】
2009010525.tif 000008
【図７】
2009010525.tif 000009
【図８】
2009010525.tif 000010
【図９】
2009010525.tif 000011
【図１０】
2009010525.tif 000012
【図１１】
2009010525.tif 000013
【図１２】
2009010525.tif 000014